(57)【要約】      （修正有） 【課題】ねじを用いずにリクライン・デバイス・カバーのインナ・カバーを取り付け可能にする自動車シートに用いる樹脂サイド・カバーの提供。 【解決手段】ブラインド・カバー１７の外周に一体的に形成されるリップ付きフランジ・カバー２１、リクライニング・デバイス４１の固定ヒンジ・ブラケット４３のリップ付きフランジ４４に対応してそのブラインド・カバー１７の内側面１８に一体的に突き出され、そして、そのリップ付きフランジのそのリップ４５に引っ掛けられる爪、およびそのフランジ・カバー２１の外周方向においてその組付け開口２０側でそのフランジ・カバー２１をぶち抜くようにそのフランジ・カバー２１に一体化されてそのフランジ・カバー２１から外側に伸長され、そして、その固定ヒンジ・ブラケット４３にはめ合わせられる横断面Ｊ字形カバー廻り止め２４からなる。 【選択図】図１
2006232123.tif 000002
【特許請求の範囲】
【請求項１】
リクライニング・デバイス・カバーおよびスライド・アジャスタ・カバーからなり、そして、そのリクライン・デバイス・カバーが、アウタ・カバーおよびインナ・カバーの組合せでそのインナ・カバーが、インタロック・ロッドを通すロッド穴およびそのロッド穴から外周に伸びて開口される切欠き状組付け開口を有する円板状ブラインド・カバー、そのブラインド・カバーの外周に一体的に形成されるリップ付きフランジ・カバー、リクライニング・デバイスの固定ヒンジ・ブラケットのリップ付きフランジに対応してそのブラインド・カバーの内側面に一体的に突き出され、そして、そのリップ付きフランジのそのリップに引っ掛けられる爪、およびそのフランジ・カバーの外周方向においてその組付け開口側でそのフランジ・カバーをぶち抜くようにそのフランジ・カバーに一体化されてそのフランジ・カバーから外側に伸長され、そして、その固定ヒンジ・ブラケットにはめ合わせられる横断面Ｊ字形カバー廻り止めからなるところの自動車シートに用いる樹脂サイド・カバー。 
【発明の詳細な説明】
【技術分野】
【０００１】
この発明は、自動車シートに用いる樹脂サイド・カバーに関し、詳細には、ライザ付きシート・スライド・アジャスタを組み込むところの自動車シートに用いられ、そして、リクライニング・デバイス・カバーのインナ・カバーを改良するところの樹脂サイド・カバーに関する。 
【背景技術】
【０００２】
通常、ライザがスライド・レール上に支持されるところのシート・スライド・アジャスタを組み込む自動車シートでは、サイド・カバーがリクライニング・デバイス・カバーおよびスライド・アジャスタ・カバーからなり、そして、そのリクライン・デバイス・カバーがアウタ・カバーおよびインナ・カバーから組み立てられ、一方、そのスライド・アジャスタ・カバーがアウタ・カバーおよびインナ・カバーから組み立てられるかそのリクライニング・デバイス・カバーのそのアウタ・カバーに一体化されるアウタ・カバーにそのインナ・カバーを組み合わせるところの構造が採られる。そのリクライニング・デバイス・カバーでは、そのインナ・カバーがそのアウタ・カバーあるいはリクライニング・デバイス・カバーの固定ヒンジ・ブラケットにねじ止めされ、そして、そのねじ止めがシート・フレームの内側から行われるので、そのインナ・カバーのねじ止め作業が厄介であった。 
【特許文献１】特開２０００−１７５２１４公報
【発明の開示】
【発明が解決しようとする課題】
【０００３】
この発明の課題は、ねじを用いずにリクライニング・デバイス・カバーのインナ・カバーを取り付け可能にするところの自動車シートに用いる樹脂サイド・カバーの提供にある。 
【課題を解決するための手段】
【０００４】
この発明は、リクライニング・デバイス・カバーおよびスライド・アジャスタ・カバーからなり、そして、そのリクライン・デバイス・カバーが、アウタ・カバーおよびインナ・カバーの組合せでそのインナ・カバーが、インタロック・ロッドを通すロッド穴およびそのロッド穴から外周に伸びて開口される切欠き状組付け開口を有する円板状ブラインド・カバー、そのブラインド・カバーの外周に一体的に形成されるリップ付きフランジ・カバー、リクライニング・デバイスの固定ヒンジ・ブラケットのリップ付きフランジに対応してそのブラインド・カバーの内側面に一体的に突き出され、そして、そのリップ付きフランジのそのリップに引っ掛けられる爪、およびそのフランジ・カバーの外周方向においてその組付け開口側でそのフランジ・カバーをぶち抜くようにそのフランジ・カバーに一体化されてそのフランジ・カバーから外側に伸長され、そして、その固定ヒンジ・ブラケットにはめ合わせられる横断面Ｊ字形カバー廻り止めからなる。 
【発明の効果】
【０００５】
この発明では、そのリクライニング・デバイス・カバーのそのインナ・カバーが、ねじを用いずにそのリップ付きフランジ・カバーとスナップ・アクションされるその爪とによってそのリクライン・デバイスのその固定ヒンジ・ブラケットに簡単に組み付けられ、また、そのインナ・カバーがその切欠き状組付け開口によってそのインタロック・ロットを交してその固定ヒンジ・ブラケットに簡単に組み付けられ、その結果、そのインナ・カバーの取付け作業が簡単で容易になって短時間に可能になる。 
【発明を実施するための最良の形態】
【０００６】
そのリクライニング・デバイス・カバーおよびスライド・アジャスタ・カバーが硬質樹脂で成形され、そして、そのリクライン・デバイス・カバーのインナ・カバーが、インタロック・ロッドを通すロッド穴およびそのロッド穴から外周に伸びて開口される切欠き状組付け開口を有する円板状ブラインド・カバー、そのブラインド・カバーの外周に一体的に形成されるリップ付きフランジ・カバー、リクライニング・デバイスの固定ヒンジ・ブラケットのリップ付きフランジに対応してそのブラインド・カバーの内側面に一体的に突き出され、そして、そのリップ付きフランジのそのリップに引っ掛けられる爪、およびそのフランジ・カバーの外周方向においてその組付け開口側でそのフランジ・カバーをぶち抜くようにそのフランジ・カバーに一体化されてそのフランジ・カバーから外側に伸長され、そして、その固定ヒンジ・ブラケットにはめ合わせられる横断面Ｊ字形カバー廻り止めからなる。 
【実施例１】
【０００７】
以下、特定されて図示された具体例に基づいて、この発明の自動車シートに用いる樹脂サイド・カバーを説明するに、図１ないし図３は、シート・スライド・アジャスタ４６および左右のライザ５１、５２を組み込む乗用車のドライバー・シート３０に活用されるところのこの発明の自動車シートに用いる樹脂サイド・カバーの具体例１０を示し、そして、そのドライバー・シート３０は、シート・クッション３１、左右のリクライニング・デバイス４０、４１でそのシート・クッション３１に前倒しおよび角度調整可能にヒンジ結合されるシート・バック３２、そのシート・バック３２に取り外し可能に取り付けられるヘッドレスト３３、そのシート・スライド・アジャスタ４６、およびその左右のライザ５１、５２で組み立てられる。このドライバー・シート３０では、そのシート・クッション１１がシート・クッション・フレーム３４、シート・クッション・パッド３５、および表皮３６で組み立てられ、また、そのシート・バック３２がシート・バック・フレーム３７、シート・バック・パッド３８、および表皮３９で組み立てられ、そして、その左右のリクライニング・デバイス４０、４１でそのシート・クッション・フレーム３４にそのシート・バック・フレーム３７をヒンジ結合させてそのシート・クッション３１に前倒しおよび角度調整可能に支持される。 
【０００８】
そのシート・スライド・アジャスタ４６は、その乗用車のフロアに据え付けられる左右のガイド・レール４７、４８、その左右のガイド・レール４７、４８に摺動可能にはめ込まれて支持される左右のスライド・レール４９、５０、ロック機構、および操作機構などで通常に組み立てられる。また、その左右のライザ５１、５２は、そのシート・スライド・アジャスタ４６のその左右のスライド・レール４９、５０上に固定的に立ち上げられ、そのシート・クッション３１を乗せ、そして、そのシート・クッション・フレーム３４を固定的に取り付けてそのシート・クッション３１を支持する。 
【０００９】
その樹脂サイド・カバー１０は、硬質樹脂の成形品でリクライニング・デバイス・カバー１１およびスライド・アジャスタ・カバー１２からなり、そして、そのドライバー・シート３０の右側においてそのリクライン・デバイス・カバー１１およびスライド・アジャスタ・カバー１２を上下に対応させて配置する構造である。 
そのリクライニング・デバイス・カバー１１は、アウタ・カバー１３、およびインナ・カバー１４から組み立てられ、また、そのスライド・アジャスタ・カバー１２は、そのリクライン・デバイス・カバー１１のそのアウタ・カバー１３の下端に連続されて一体的に成形されたアウタ・カバー１５、およびインナ・カバー１６で組み立てられる。 
【００１０】
この樹脂サイド・カバー１０では、そのリクライン・デバイス・カバー１１のインナ・カバー１４が、その左右のリクライニング・デバイス４０、４１のインタ・ロック・ロッド４２を通すロッド穴１９およびそのロッド穴１９から外周に先広がりに伸びて開口される切欠き状組付け開口２０を有する円板状ブラインド・カバー１７、そのブラインド・カバー１７の外周に一体的に形成されるリップ付きフランジ・カバー２１、その右のリクライニング・デバイス４１の固定ヒンジ・ブラケット４３のリップ付きフランジ４４に対応してそのブラインド・カバー１７の内側面１８に一体的に突き出され、そして、そのリップ付きフランジ４４のそのリップ４５に引っ掛けられる爪２３、そのフランジ・カバー２１の外周方向においてその組付け開口２０側でそのフランジ・カバー２１をぶち抜くようにそのフランジ・カバー２１に一体化されてそのフランジ・カバー２１から外側に伸長され、そして、その固定ヒンジ・ブラケット４３に外側からはめ合わせられる横断面Ｊ字形カバー廻り止め２４、およびそのフランジ・カバー２１からその組付け開口２０に伸びるフランジ・リップ２５からなる構造に樹脂成形される。 
【００１１】
この樹脂サイド・カバー１０において、２２はリップである。 
【００１２】
したがって、この樹脂サイド・カバー１０では、そのリクライニング・デバイス・カバー１１のそのインナ・カバー１４は、その切欠き状組付け開口２０によってそのインタロック・ロッド４２を交しながらそのインタロック・ロッド４２にそのロッド穴１９をはめ合わせ、そして、そのフランジ・カバー２１のそのリップ２２もその右のリクライニング・デバイス４１のその固定ヒンジ・ブラケット４３に引っ掛けながらその固定ヒンジ・ブラケット４３にそのカバー廻り止め２４をはめ合わせ、同時的に、その固定ヒンジ・ブラケット４３のそのリップ付きフランジ４４のそのリップ４５nいその爪２３を引っ掛けて廻り止め状態でその固定ヒンジ・ブラケット４３に組み付けられ、そして、そのドライバー・シート３０の内側に露出されるその右のリクライニング・デバイス４１を覆う。 
そのように、そのインナ・カバー１４は、ねじを用いずにそのフランジ・カバー２１のそのリップ２２とその爪２３のスナップ・アクションでその右のリクライニング・デバイス４１のその固定ヒンジ・ブラケット４３に廻り止め状態で簡単に組み付けられ、また、そのインナ・カバー１４がその切欠き状組付け開口２０によってそのインタロック・ロッド４２を交しながら組付け位置を調整できてその固定ヒンジ・ブラケット４３に簡単に組付けられる。その結果、そのインナ・カバー１４では、取付け作業が非常に簡単で容易になって短時間に修了する。 
【００１３】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。 
【産業上の利用可能性】
【００１４】
上述から理解されるように、この発明の自動車シートに用いる樹脂サイド・カバーは、リクライニング・デバイス・カバーおよびスライド・アジャスタ・カバーからなり、そして、そのリクライン・デバイス・カバーが、アウタ・カバーおよびインナ・カバーの組合せでそのインナ・カバーが、インタロック・ロッドを通すロッド穴およびそのロッド穴から外周に伸びて開口される切欠き状組付け開口を有する円板状ブラインド・カバー、そのブラインド・カバーの外周に一体的に形成されるリップ付きフランジ・カバー、リクライニング・デバイスの固定ヒンジ・ブラケットのリップ付きフランジに対応してそのブラインド・カバーの内側面に一体的に突き出され、そして、そのリップ付きフランジのそのリップに引っ掛けられる爪、およびそのフランジ・カバーの外周方向においてその組付け開口側でそのフランジ・カバーをぶち抜くようにそのフランジ・カバーに一体化されてそのフランジ・カバーから外側に伸長され、そして、その固定ヒンジ・ブラケットにはめ合わせられる横断面Ｊ字形カバー廻り止めからなるので、この発明の自動車シートに用いる樹脂サイド・カバーでは、そのリクライン・デバイス・カバーのそのインナ・カバーが、ねじ止め作業が省かれてそのフランジ・カバーとその爪とによってそのリクライニング・デバイスのその固定ヒンジ・ブラケットにスナップ・アクションで簡単に組み付けられてそのカバー廻り止めでその固定ヒンジ・ブラケットに固定され、そしてさらに、その切欠き状組付け開口によってそのリクライン・デバイスのそのインタロック・ロッドを交しながら組付け位置を調整し、そのインタロック・ロッドにそのロッド穴をはめ合わせできてその固定ヒンジ・ブラケットに簡単に組み付けられ、そして、そのインナ・カバーの取付け作業が簡単で容易になって短時間に可能になり、その結果、自動車シートにとって非常に有用で実用的である。 
【図面の簡単な説明】
【００１５】
【図１】シート・スライド・アジャスタおよび左右のライザを組み込み、そして、この発明の自動車シートに用いる樹脂サイド・カバーの具体例を活用するところの乗用車のドライバ・シートを示した分解斜視図である。
【図２】その樹脂サイド・カバーのリクライン・デバイス・カバーのインナ・カバーを組付け状態で示した斜視図である。
【図３】図２の３−３線に沿って示した断面図である。
【符号の説明】
【００１６】
１１    リクライニング・デバイス・カバー 
１２    スライド・アジャスタ・カバー 
１３    アウタ・カバー 
１４    インナ・カバー 
１５    アウタ・カバー 
１６    インナ・カバー 
１７    円板状ブラインド・カバー 
１８    内側面 
１９    ロッド穴 
２０    切欠き状組付け開口 
２１    リップ付きフランジ・カバー 
２２    リップ 
２３    爪 
２４    横断面Ｊ字形カバー廻り止め 
３０    ドライバー・シート 
３１    シート・クッション 
３２    シート・バック 
３４    シート・クッション・フレーム 
３５    シート・クッション・パッド 
３６    表皮 
３７    シート・バック・フレーム 
３８    シート・バック・パッド 
３９    表皮 
４０    左のリクライニング・デバイス 
４１    右のリクライニング・デバイス 
４２    インタロック・ロッド 
４３    固定ヒンジ・ブラケット 
４４    リップ付きフランジ 
４５    リップ 
４６    シート・スライド・アジャスタ 
４７    左のガイド・レール 
４８    右のガイド・レール 
４９    左のスライド・レール 
５０    右のスライド・レール 
５１    左のライザ 
５２    右のライザ 
【図１】
2006232123.tif 000003
【図２】
2006232123.tif 000004
【図３】
2006232123.tif 000005